(57)【特許請求の範囲】
【請求項１】
装置本体ケースに取付けられたスピーカユニットと、
前記装置本体ケースの前記スピーカユニットの開口と同一平面にあり、前記スピーカユニットの裏面と空間的に連続した開口面に張設され、且つ厚さ１８０μｍ以下のポリエステルで形成された振動薄膜と
を具備し、
前記振動薄膜は、前記スピーカユニットの振動が共鳴することにより、外部に音を出力し、
前記スピーカユニット及び前記振動薄膜は前記装置本体ケースに対して防水構造にして設けられることを特徴とする受信装置。
【発明の詳細な説明】
【０００１】
【発明の属する技術分野】
本発明は、例えば浴室内の壁面等に設置される液晶テレビ、携帯用ラジオ受信機等、スピーカを有する防水構造の受信装置に関する。
【０００２】
【従来の技術】
浴室内壁面に固定設置され、あるいは屋外で携帯使用されるや防水構造を有する液晶テレビやラジオ受信機などの受信装置では、本体ケースにより内部を気密とする密閉構造をとるため、スピーカの背面側はケース内に密封され、スピーカ前面側のみが外部に露出して放音を行なうようになっている。
【０００３】
【発明が解決しようとする課題】
上記した如く防水構造により密閉された本体ケースでは、スピーカ背面側の空間容積が一定に固定されている。そのため、スピーカコーンの振動に動作抵抗を生じ、スピーカの音響出力特性を低下させる要因となっていた。
【０００４】
そこで、スピーカの出力音圧を必要なレベルまで向上させるべく、スピーカを大型化してその表面積を大きくすることも考えられるが、そうすると受信装置全体の体積、重量が共に増大してしまうこととなる。
【０００５】
本発明は上記のような実情に鑑みてなされたもので、その目的とするところは、防水構造としながらもより小型のスピーカで充分な出力音圧を得ることが可能な受信装置を提供することにある。
【０００６】
【課題を解決するための手段】
請求項１記載の発明は、装置本体ケースに取付けられたスピーカユニットと、前記装置本体ケースの前記スピーカユニットの開口と同一平面にあり、前記スピーカユニットの裏面と空間的に連続した開口面に張設され、且つ厚さ１８０μｍ以下のポリエステルで形成された振動薄膜とを具備し、前記振動薄膜は、前記スピーカユニットの振動が共鳴することにより、外部に音を出力し、前記スピーカユニット及び前記振動薄膜は前記装置本体ケースに対して防水構造にして設けられることを特徴とする受信装置である。
【０００７】
このような構成とすれば、スピーカ背面側の空間容積が振動薄膜により可変するため、スピーカコーンの振動に生じる動作抵抗を減少し、スピーカの音響出力特性を低下させる要因を低減させることができると共に、スピーカ背面側からの振動が装置本体ケース内部で共鳴し、上記振動薄膜を伝わって介して外部に音として出力されるようになるため、結果として防水構造としながらも小型のスピーカで充分な出力音圧を得ることが可能となる。
【０００８】
【発明の実施の形態】
以下本発明を浴室の壁面等に設置する液晶テレビに適用した場合の実施の一形態について図面を参照して説明する。
図１はその設置状態での外観構成を示すもので、図示する如く本発明の液晶テレビは主として電源ユニット１及び表示ユニット２から構成される。電源ユニット１は、コンセント３に装着するプラグを兼ねた台形の筺体１ａを有し、その一側面に図示しないアンテナからの同軸ケーブル４を接続し、これと相対向するもう一方の側面に上記表示ユニット２へ電源電圧とＲＦ信号とを重畳して供給するための同軸ケーブル５を接続するようになっている。
【０００９】
同軸ケーブル５は、例えば壁面Ｗを貫通して、固定設置された表示ユニット２まで延在されるもので、この表示ユニット２の前面には、液晶表示パネルを用いた表示部６と多数のスリットを形成した放音部７とが設けられている。
【００１０】
しかるに電源ユニット１では、交流の商用電圧を所定の直流電圧に整流、降圧した上で、アンテナから得られたＲＦ信号を重畳して同軸ケーブル５へ導出する。
【００１１】
表示ユニット２側では、直流電圧からＲＦ信号の成分を分離、抽出し、該直流電圧を電源としてＲＦ信号から所望の周波数を選局し、テレビ放送番組の受信動作を実行する。
【００１２】
図２は上記表示ユニット２の部分外観構成を示す斜視図であり、図示する如く表示ユニット２の前面部分はテレビ本体ケース１１に樹脂製の外観化粧ケース１２をその弾性により嵌合して取付けるようになっている。
【００１３】
テレビ本体ケース１１は、後述する本体ベース１３にねじ止めされてその内部を気密に保つよう防水構造をとるもので、前面の中央及び左側ほぼ全面に上記表示部６を構成する液晶表示パネル１４が、また右側の下部にスピーカ１５が、その上部に振動薄膜部１６がそれぞれ外部に露出して配設される。振動薄膜部１６は、テレビ本体ケース１１に設けられた開口全面を覆うように防水性の振動薄膜、例えば厚さ１８０［μｍ］程度以下のポリエステルを融着することで張着してなるもので、該開口は上記スピーカ１５の裏面側と空間的に連続している。
【００１４】
外観化粧ケース１２は、樹脂製でテレビ本体ケース１１の液晶表示パネル４に該当する部分が大きく開口し、上記スピーカ５及び振動薄膜部６に該当する部分が多数のスリットを形成した構成を有するものであり、清掃等のためにテレビ本体ケース１から容易に取外せるようになっている。
【００１５】
図３は上記テレビ本体ケース１１及び外観化粧ケース１２を、浴室の壁面等に直接固定設置するための本体ベース１３に組付けた状態を示す断面図であり、テレビ本体ケース１１と本体ベース１３とで密閉された内部で、上述した如く上記スピーカ１５の裏面側と振動薄膜部１６とが空間的に連続している。
【００１６】
上記のような構成にあって、テレビ放送を受信して放送音声をスピーカ１５から拡声出力させる場合、図３に示した如くスピーカ１５の裏面側と振動薄膜部１６とがごく近傍で空間的に連続しているおり、スピーカ１５のスピーカコーンが振動する際にはそれに連れて振動薄膜部１６が振動することでテレビ本体ケース１１と本体ベース１３内の空間容積が可変する。そのため、該空間容積が固定であった場合にスピーカコーンの振動に生じる動作抵抗を充分に減少することができ、スピーカ１５の音響出力特性を低下させる要因を低減してその性能を充分に発揮させることができる。
【００１７】
また、スピーカ１５の裏面側からの振動がテレビ本体ケース１１と本体ベース１３で構成されるケース内部で共鳴し、図３中に矢印III ，III で示すように上記振動薄膜部１６を伝わって介して外部に音として出力されるようになる。そのため、スピーカ１５の出力音圧をさらに向上させることとなり、結果として全体を防水構造としながらも小型のスピーカ１５で充分な出力音圧を得ることが可能となる。
【００１８】
なお、上記実施の形態は、本発明を浴室の壁面等に固定設置する液晶テレビに適用した場合について説明したものであるが、本発明はこれに限ることなく、防水構造を有し、スピーカより放音するような受信装置であれば、例えばラジオ受信機、インタホンの玄関側に取付けられる外部装置など、家屋内外に固定設置するもの、携帯使用するものを問わず適用可能であることは言うまでもない。
その他、本発明はその要旨を逸脱しない範囲内で種々変形して実施することが可能であるものとする。
【００１９】
【発明の効果】
請求項１記載の発明によれば、スピーカ背面側の空間容積が振動薄膜により可変するため、スピーカコーンの振動に生じる動作抵抗を減少し、スピーカの音響出力特性を低下させる要因を低減させることができると共に、スピーカ背面側からの振動が装置本体ケース内部で共鳴し、上記振動薄膜を伝わって介して外部に音として出力されるようになるため、結果として防水構造としながらも小型のスピーカで充分な出力音圧を得ることが可能となる。
【図面の簡単な説明】
【図１】本発明の実施の一形態に係る設置状態での外観構成を示す図。
【図２】同実施の形態に係る部分外観構成を示す斜視図。
【図３】同実施の形態に係る本体ケース内の構造を示す断面図。
【符号の説明】
１…電源ユニット
２…表示ユニット
３…コンセント
４…同軸ケーブル
５…同軸ケーブル
６…表示部
７…放音部
１１…テレビ本体ケース
１２…外観化粧ケース
１３…本体ベース
１４…液晶表示パネル
１５…スピーカ
１６…振動薄膜部
Ｗ…壁面
【図１】
0003927673.tif 000002
【図２】
0003927673.tif 000003
【図３】
0003927673.tif 000004